(57)【要約】【課題】導電端子の後向きへの移動が制限されるコネクタを提供する。【解決手段】基部と、該基部から前向きに延出するように形成される舌片部と、を有するインシュレータと、前記インシュレータに保持される保持部と、前記保持部から前向きに延出するように形成されるコンタクト部と、前記保持部から下向きに折曲って延出するように形成される連接部と、連接部から後向きに延出するように形成される半田付け部と、を有する複数の導電端子と、前記インシュレータに覆うシールドケースと、を含む。前記コネクタの後端には、前記導電端子の連接部を覆い、前記導電端子の後向きへの移動を制限するための保護部材を有する。【選択図】図５
2008004527.tif 000002
【特許請求の範囲】
【請求項１】
基部と、該基部から前向きに延出するように形成される舌片部と、を有するインシュレータと、
前記インシュレータに保持される保持部と、前記保持部から前向きに延出するように形成されるコンタクト部と、前記保持部から下向きに折曲って延出するように形成される連接部と、連接部から後向きに延出するように形成される半田付け部と、を有する複数の導電端子と、
前記インシュレータに覆うシールドケースと  
を含むコネクタにおいて、
前記コネクタの後端には、前記導電端子の連接部を覆い、前記導電端子の後向きへの移動を制限するための保護部材を有することを特徴とするコネクタ。
【請求項２】
前記保護部材は、前記コネクタのインシュレータの後端に取付けられることを特徴とする、請求項１に記載のコネクタ。
【請求項３】
前記シールドケースには、前記保護部材の後端を覆い、前記保護部材が後向きへ外れることが制限されるための延出片を設けることを特徴とする、請求項１または２に記載のコネクタ。
【請求項４】
前記インシュレータの基部の両側に係合溝がそれぞれ形成され、前記保護部材の両端側に前記係合溝に係合するための係止凸部がそれぞれ形成されることを特徴とする、請求項２に記載のコネクタ。
【請求項５】
前記舌片部は相対した上下舌片を有し、前記上下舌片は相対するように配置される内側壁をそれぞれ有し、前記上下舌片の内側壁に前記導電端子を収容するための収容溝がそれぞれ形成されることを特徴とする、請求項１に記載のコネクタ。
【請求項６】
前記保護部材には、前記上舌片の収容溝に収容された導電端子の保持部の後端を収容するための切欠け部を有することを特徴とする、請求項５に記載のコネクタ。
【発明の詳細な説明】
【技術分野】
【０００１】
本発明は、コネクタに関し、特に、シールドケースを有するコネクタに関するものである。
【背景技術】
【０００２】
特許文献１に示すように、従来のコネクタは、インシュレータと、インシュレータに装着された導電端子と、インシュレータの外方を覆っている金属板を曲げ成形した角筒状のシールドケースと、を含み、前記インシュレータは、長手方向の基部と、基部から前向きに延在するように形成される舌片部とを有する。インシュレータに装着された導電端子は、保持部と、保持部の一端から延在するように形成され舌片部に装着されたコンタクト部と、保持部の他端から延在するように形成され、インシュレータを突出する半田付け部と、を有する。前記シールドケースの天板には、相手側コネクタの挿入をガイドするために、相手側コネクタのスリットに係合し収容される係合部が形成される。前記係合部は、シールドケースの天板にＣ字形状を呈する開口部が下向きに延出するように形成される延出片である。前記延出片が相手側コネクタのスリットに収容されることによって、相手側コネクタとコネクタとの間の接続をガイドできる。
【特許文献１】中国意匠登録第３３３１３１２号
【発明の開示】
【発明が解決しようとする課題】
【０００３】
しかしながら、前記従来のコネクタの導電端子は、保持部と半田付け部とを連接するための垂直連接部を有し、且つ、前記垂直連接部がインシュレータの後端側に露出している。従来のコネクタでは導電端子を保護するための保護装置を配置せず外界に直ちに露出しているので、前記半田付け部と垂直連接部とを変形させる恐れがあるので、導電端子の半田付け部の半田付け操作に不利になっている。また、相手側コネクタが従来のコネクタに挿入される際に、コネクタの導電端子が後向きへの力を受けるので、後向きへの移動付勢を生じる恐れがあった。そこで、上述した欠点に鑑みて、新型な電気コネクタを開発することが必要である。
【０００４】
本発明は、導電端子の後向きへの移動が制限されるコネクタを提供することを目的とする。
【課題を解決するための手段】
【０００５】
前記目的を達成するために、本発明によれば、基部と、該基部から前向きに延出するように形成される舌片部と、を有するインシュレータと、
前記インシュレータに保持される保持部と、前記保持部から前向きに延出するように形成されるコンタクト部と、前記保持部から下向きに折曲って延出するように形成される連接部と、連接部から後向きに延出するように形成される半田付け部と、を有する複数の導電端子と、
前記インシュレータを覆うシールドケースと  
を含むコネクタにおいて、
前記コネクタの後端には、前記導電端子の連接部を覆い、前記導電端子の後向きへの移動を制限するための保護部材を有することを特徴とするコネクタが得られる。
【発明の効果】
【０００６】
従来の技術に比べると、本発明は以下の長所がある。コネクタの後端に保護部材が配置されることにより、導電端子の後向きへの移動が制限され、導電端子がインシュレータから外れることを防止できる。
【発明を実施するための最良の形態】
【０００７】
図１〜図６に基づいて、本発明のコネクタについて説明する。本発明のコネクタ１００は、インシュレータ１０と、インシュレータ１０に保持される複数の導電端子２０と、インシュレータ１０の外側を覆っているシールドケース３０と、前記導電端子２０を保護するための保護部材４０と、を含む。
【０００８】
図１と図２を参照すると、前記インシュレータ１０は、長手方向での基部１１０と、基部１１０から前向きに延出するように形成される舌片部１２０とを有する。前記舌片部１２０は、互いに平行に延出するように形成される上舌片１２１と下舌片１２２とを有し、以下、この明細書では、上舌片１２１の上側壁と下舌片１２２の下側壁を総称して外側壁をといい、上舌片１２１の下側壁と下舌片１２２の上側壁を総称して内側壁をという。これによって、前記上下舌片１２１、１２２の内側壁が対向するように配置され、前記上下舌片１２１、１２２の外側壁が互いに背離するように配置される。前記上下舌片１２１、１２２の内側壁には複数の収容溝１２３がそれぞれ長手方向に沿って交互に並設され、また、前記収容溝１２３の先端部には凸部１２５（図５に示す）が形成さる。前記上下舌片１２１、１２２の外側壁には凸状リブ１２４がそれぞれ形成され、前記凸状リブ１２４によって上下舌片１２１、１２２の平面度を向上させ、さらに、コネクタ１００と相手側コネクタ２００との嵌合の安定性を向上させる。
【０００９】
前記複数の導電端子２０は、前記インシュレータ１０の基部１１０に保持れる保持部２１０と、該保持部２１０から前向きに延出するように前記収容溝１２３に収容されるコンタクト部２２０と、前記保持部２１０から下向きに延出するように形成される連接部（参照記号なし）と、該連接部から後向きに延出するように形成される半田付け部２３０と、を有する。前記インシュレータ１０の凸部１２５がコンタクト部２２０の先端に位置することによって、相手側コネクタ２００を挿入する際に、導電端子２０のコンタクト部２２０が相手側コネクタ２００に損傷されることを防止できる。
【００１０】
前記図１と図２を参照すると、前記シールドケース３０は金属板を曲げ成形した角筒状を呈し、天板３１０と、底板３２０と、天板３１０及び底板３２０を連接する両側板３３０とを有し、前記天板３１０と底板３２０と側板３３０とは、相手側コネクタに嵌合するための嵌合筒部（参照記号なし）からなる。図５に示す、前記シールドケース３０の天板３１０とインシュレータ１０の上舌片１２１との間に収容空間１０１を形成し、シールドケース３０の底板３２０とインシュレータ１０の下舌片１２２との間に収容空間１０２を形成し、収容空間１０１、１０２は相手側コネクタ２００のシールドケースを収容するのに用いられる。前記天板３１０の先端縁の両側には収容空間１０１へ向かって突出するように形成される係合部３１１がそれぞれ設けられ、該係合部３１１は前記天板３１０の先端縁から天板３１０を後向きに切欠くように形成される略Ｌ字形状を呈するスリット３１２と、天板３１０に略垂直に前記コネクタ１００の内部へ向かって延出する弾性片３１３とを有する。前記弾性片３１３が相手側コネクタ２００のガイド溝２０１に係合し収容されることにより、相手側コネクタ２００がコネクタ１００に挿入される際にガイドできる。また、前記シールドケース３０の底板３２０の先端縁の両側に相手側コネクタ２００の誤挿着ための誤挿着防止部材３２１がそれぞれ形成される。
【００１１】
図１乃至図４を参照すると、前記インシュレータ１０の基部１１０の後端には、取付凹部１１１が形成され、該取付凹部１１１の長手方向の両側には、係合溝１１２がそれぞれ形成される。前記保護部材４０はインシュレータ１０の取付凹部１１１に取付けられ、両端側には前記係合溝１１２にそれぞれ係合するための係止凸部４２と、前記上舌片１２１の収容溝１２３に装着された導電端子２０に対応した複数の切欠け４１とを有する。係止凸部４２が前記インシュレータ１０の係合溝１１２に係合することにより、該保護部材４０はインシュレータ１０の取付凹部１１１に係合し収容される。前記上舌片１２１に装着された導電端子２０の連接部が前記切欠け４１に対応し収容されることにより位置決めされる。これによって、相手側コネクタ２００の挿入によるコネクタ１００の導電端子２０の後向きへの移動が制限される。
【００１２】
図１と図４を参照すると、組み付ける際に、前記シールドケース３０は前方からインシュレータ１０に組み付けられ、天板３１０の後端に形成される延出片３１４は下向きに折曲がって前記保護部材４０に当接して覆い、前記側板３３０に形成された係止片３３１がインシュレータ１０に係合することによって、シールドケース３０がインシュレータ１０に保持される。図２を参照すると、コネクタ１００のシールドケース３０の先端縁には、収容空間１０１に向かって延出するように形成される係合部３１１を有し、係合部３１１は前記側板３３０に平行に延出するように形成される弾性片３１３を有し、これによって、相手側コネクタ２００がコネクタ１００に挿入された初期段階に、前記弾性片３１３が相手側コネクタ２００のスリット２０１に係合し収容することにより、相手側コネクタ２００がコネクタ１００に斜めに挿入されることを防止でき、コネクタ１００の隣接した導電端子２０を短絡し接続することが防止される。
【００１３】
前記保護部材４０がインシュレータ１０の後端に取付けられることにより、導電端子２０の後向きへの移動が制限され、また、シールドケース３０の延出片３１４が前記保護部材４０に当接して覆うことにより、保護部材４０の後向きへの移動が制限されるとともに、導電端子２０の電磁障害に邪魔されることが減少する。
【００１４】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１５】
【図１】本発明に係るコネクタの分解斜視図である。
【図２】本発明に係るコネクタの組立斜視図である。
【図３】本発明に係るコネクタの組立斜視図であり、シールドケースがインシュレータに外す組立斜視図である。
【図４】図２に示すコネクタの正面図である。
【図５】図４に示すＶ-Ｖ線に沿う断面図である。
【図６】本発明に係るコネクタと相手側コネクタとの組立斜視図である。
【符号の説明】
【００１６】
１００  コネクタ
２００  相手側コネクタ
１０  インシュレータ
２０  導電端子
３０  シールドケース
４０  保護部材
４１  切欠け
４２  係止凸部
１０１、１０２  収容空間
１１０  基部
１１１  取付凹部
１１２  係合溝
１２０  舌片部
１２１  上舌片
１２２  下舌片
１２３  収容溝
１２４  凸状リブ
１２５  凸部
２１０  保持部
２２０  コンタクト部
２３０  半田付け部
３１０  天板
３１１  係合部
３１２、２０１  スリット
３１３  弾性片
３１４  延出片
３２０  底板
３２１  誤挿着防止部材
３３１  係止片
【図１】
2008004527.tif 000003
【図２】
2008004527.tif 000004
【図３】
2008004527.tif 000005
【図４】
2008004527.tif 000006
【図５】
2008004527.tif 000007
【図６】
2008004527.tif 000008